(57)【要約】本発明は、品目、例えばクレジットカード、紙幣などの偽造防止標識のための方法であって、以下の段階：（ａ）電磁波を反射する第１の層（１）に、電磁波を透過する不活性な第２の層（３）を設け、前記第２の層が、所定の厚さを有する段階と、（ｂ）前記第２の層（３）に、金属クラスターにより形成された第３の層（４）を設ける段階と、（ｃ）このようにして形成した標識の第１の層（１）を、品目と結合させる段階とを含む、前記方法に関する。
2004507790.tif 000002
【特許請求の範囲】
【請求項１】
物品、例えばチェックギャランティカード、紙幣、包装などの偽造防止マーキングのための方法であって、
ａ）電磁波を透過する、予め定められた厚さを有する不活性な第２の層（３）を、電磁波を反射する第１の層（１）に設け、
ｂ）金属クラスターから形成された第３の層（４）を、第２の層（３）に設け、および
ｃ）このようにして得られた標識の第１の層（１）を、前記物品に結合する、
前記方法。
【請求項２】
物品、例えばチェックギャランティカード、紙幣、包装などの偽造防止マーキングのための方法であって、
ａ）電磁波を透過する、予め定められた厚さを有する不活性な第２の層（３）を、電磁波を反射する第１の層（１）に設け、
ｂ）このようにして得られた標識の第１の層（１）を、前記物品に結合し、および
ｃ）金属クラスターから形成された第３の層（４）を、基板（６）に、それが第１の層（１）から予め定められた距離に配置されて、標識を視覚可能にすることができるように設ける、
前記方法。
【請求項３】
層（３、４、５）の少なくとも１つを、構造体化された方式で設ける、請求項１または２に記載の方法。
【請求項４】
電磁波を透過する不活性な第４の層（５）を、第３の層（４）に設ける、請求項１〜３のいずれかに記載の方法。
【請求項５】
基板（６）を、電磁波を透過する材料、好ましくはガラスまたはプラスチックから製造する、請求項２〜４のいずれかに記載の方法。
【請求項６】
第２の層（３）に関して、またはこの上に設けられた第２の分子に関して密接に結合する第１の分子（７）を、第３の層（４）または第４の層（５）に設ける、請求項２〜５のいずれかに記載の方法。
【請求項７】
ポリマー、シランまたは構造的に関連する化合物を、分子（７）として用いる、請求項６に記載の方法。
【請求項８】
金属クラスターを、銀、金、白金、アルミニウム、銅、スズまたはインジウムから製造する、請求項１〜７のいずれかに記載の方法。
【請求項９】
第２の層（３）および／または第４の層（５）を、以下の材料の１種：金属酸化物、金属亜硝酸塩、金属炭化物、特に酸化ケイ素、炭化ケイ素、亜硝酸ケイ素、酸化スズ、亜硝酸スズ、酸化アルミニウム、亜硝酸アルミニウムまたはポリマー、特にポリカーボネート（ＰＣ）、ポリエチレン（ＰＥ）、ポリプロピレン（ＰＰ）、ポリウレタン（ＰＵ）、ポリイミド（ＰＩ）、ポリスチレン（ＰＳ）またはポリメタクリレート（ＰＭＡ）から製造する、請求項１〜８のいずれかに記載の方法。
【請求項１０】
標識を形成する発色が、２μｍ未満の、第１の層（１）と第３の層（４）との間の距離において視覚可能になる、請求項１〜９のいずれかに記載の方法。
【請求項１１】
標識を、電磁波を発生するための装置、好ましくはレーザー、蛍光ランプ、発光ダイオードまたはキセノンランプにより照射する、請求項１〜１０のいずれかに記載の方法。
【請求項１２】
標識を、第１の層（１）により反射された電磁波の光学的特性を決定するための装置により、好ましくは種々の観察角度において同定する、請求項１〜１１のいずれかに記載の方法。
【請求項１３】
吸収を、光学的特性を決定するための装置により測定する、請求項１〜１２のいずれかに記載の方法。
【請求項１４】
層（１、３、４、５）の少なくともいくつかを、薄膜技術により製造する、請求項１〜１３のいずれかに記載の方法。
【請求項１５】
層（３、４、５）の少なくとも１つが、異方性屈折率を有する、請求項１〜１４のいずれかに記載の方法。
【請求項１６】
層の少なくとも１つを、光学的特性を、層を設けた後に改変することができる材料から製造する、請求項１〜１５のいずれかに記載の方法。
【請求項１７】
物品、例えばチェックギャランティカード、紙幣などのための偽造防止標識であって、電磁波を透過する、予め定められた厚さを有する不活性な第２の層（３）が、電磁波を反射する、前記物品に結合された第１の層（１）に設けられており、金属クラスターから形成されている第３の層（４）が、第２の層（３）に設けられている、前記偽造防止標識。
【請求項１８】
物品、例えばチェックギャランティカード、紙幣などのための偽造防止標識であって、電磁波を透過する、予め定められた厚さを有する不活性な第２の層（３）が、電磁波を反射する、前記物品に結合された第１の層（１）に設けられている、前記偽造防止標識。
【請求項１９】
金属クラスターから形成された第３の層（４）が、基板（６）に、それが、第１の層（１）から予め定められた距離に配置されて、標識を視覚可能にするように設けられている、請求項１８に記載の偽造防止標識。
【請求項２０】
層（１、３、４、５）の少なくとも１つが、構造体を有する、請求項１７〜１９のいずれかに記載の偽造防止標識。
【請求項２１】
電磁波を透過し、第３の層（４）を被覆する、不活性な第４の層（５）が設けられている、請求項１７〜２０のいずれかに記載の偽造防止標識。
【請求項２２】
基板（６）が、電磁波を透過する材料、好ましくはガラスまたはプラスチックから製造されている、請求項１８〜２１のいずれかに記載の偽造防止標識。
【請求項２３】
第２の層（３）に関して、またはこの上に設けられた第２の分子に関して密接に結合する第１の分子（７）が、第３の層（４）または第４の層（５）に設けられている、請求項１８〜２２のいずれかに記載の偽造防止標識。
【請求項２４】
分子（７）が、ポリマー、シランまたは構造的に関連する化合物から製造されている、請求項２３に記載の偽造防止標識。
【請求項２５】
金属クラスターが、銀、金、白金、アルミニウム、銅、スズまたはインジウムから形成されている、請求項１７〜２４のいずれかに記載の偽造防止標識。
【請求項２６】
第２の層（３）および／または第４の層（５）が、以下の材料の１種：金属酸化物、金属亜硝酸塩、金属炭化物、特に酸化ケイ素、炭化ケイ素、亜硝酸ケイ素、酸化スズ、亜硝酸スズ、酸化アルミニウム、亜硝酸アルミニウムまたはポリマー、特にポリカーボネート（ＰＣ）、ポリエチレン（ＰＥ）、ポリプロピレン（ＰＰ）、ポリウレタン（ＰＵ）、ポリイミド（ＰＩ）、ポリスチレン（ＰＳ）またはポリメタクリレート（ＰＭＡ）から製造されている、請求項１７〜２５のいずれかに記載の偽造防止標識。
【請求項２７】
一義的に同定可能な着色を、２μｍ未満の、第１の層（１）と第３の層（４）との間の距離において知覚することができる、請求項１７〜２６のいずれかに記載の偽造防止標識。
【請求項２８】
電磁波を発生するための装置、好ましくはレーザー、蛍光ランプ、発光ダイオードまたはキセノンランプが、標識を照射するために設けられている、請求項１７〜２７のいずれかに記載の偽造防止標識。
【請求項２９】
第１の層（１）により反射された電磁波の光学的特性を決定するための装置が、標識を同定するために設けられている、請求項１７〜２８のいずれかに記載の偽造防止標識。
【請求項３０】
吸収を、好ましくは種々の観察角度において、光学的特性を決定するための装置により測定することができる、請求項１７〜２９のいずれかに記載の偽造防止標識。
【請求項３１】
層（１、３、４、５）が、薄膜技術により製造されている、請求項１７〜３０のいずれかに記載の偽造防止標識。
【発明の詳細な説明】
【０００１】
本発明は、物品、例えばチェックギャランティカード（ｃｈｅｃｋ ｇｕａｒａｎｔｅｅ ｃａｒｄ）、紙幣、包装などの偽造防止マーキングのための方法に関する。本発明はさらに、偽造防止標識に関する。
【０００２】
従来技術において、ホログラムをチェックギャランティカードまたは紙幣上に、これらの信頼性の証拠として提供することが知られている。さらに、磁気的ストリップまたは蛍光標識上の磁気的コードは、物品の信頼性の証拠として添付される。既知の標識は、比較的容易に偽造することができる。
【０００３】
米国特許第５，６１１，９９８号には、オプトケミカル（ｏｐｔｏｃｈｅｍｉｃａｌ）センサーが開示されている。検出されるべき物質を含む溶液との接触によりこの容積が変化する化学的に反応性の層は、この場合において、金属層に設けられる。金属クラスターから形成されている層は、化学的に反応性の層に設けられている。検出されるべき物質の結合の結果、金属クラスターから形成された層と金属層との間の距離が変化する。同時に、センサーに入射する光の吸収もまた変化する。検出されるべき物質の存在は、センサーの色の変化を引き起こす。既知のセンサーは、物品の偽造防止マーキングには好適でない。色の変化は、センサーが、液相に暴露された際にのみ起こる。水分または液体との接触はまた、色信号を誘発するかまたは改変する反応をもたらし得る。
【０００４】
本発明の目的は、偽造に対する高いレベルのセキュリティーを、簡単かつ費用効率的な方法で提供する、物品のマーキングのための方法および標識を提供することにある。
この目的は、請求項１、２、１５および１６の特徴により達成される。有利な構成は、請求項３〜１４および１７〜２９の特徴により示される。
【０００５】
本発明において、物品、例えばチェックギャランティカード、紙幣などの偽造防止マーキングのための方法であって、
ａ）電磁波を透過する、予め定められた厚さを有する不活性な第２の層を、電磁波を反射する第１の層に設け、
ｂ）金属クラスターから形成された第３の層を、第２の層に設け、および
ｃ）このようにして得られた標識の第１の層を、前記物品に結合する、
前記方法を提供する。
【０００６】
前述の特徴を用いて、偽造防止性の永久的に視覚可能な標識を、簡単かつ費用効率的な方法で製造することができる。
【０００７】
本発明の他の手段において、物品、例えばチェックギャランティカード、紙幣などの偽造防止マーキングのための方法であって、
ａ）電磁波を透過する、予め定められた厚さを有する不活性な第２の層を、電磁波を反射する第１の層に設け、
ｂ）このようにして得られた標識の第１の層を、前記物品に結合し、および
ｃ）金属クラスターから形成された第３の層を、基板に、それが第１の層から予め定められた距離に配置されて、標識を視覚可能にすることができるように設ける、
前記方法を提供する。
【０００８】
この方法に関連する他の解決方法は、物品の視覚不能なマーキングを、簡単かつ費用効率的な方法で可能にする。標識は、特に、偽造防止性である。これを、本発明に従って被覆した基板と接触させることにより、視覚可能にすることができる。
【０００９】
第２の層は、両方の方法において、構造体化された方式で有利に設けられる。構造体化は、表面における構造体（ｓｔｒｕｃｔｕｒｅ）、例えばパターンまたは描画を含むことができる。しかし、これはまた、レリーフタイプの構造を含むことができる。この場合において、標識は、種々の色の外見を有する。
【００１０】
他の構成の特徴において、電磁波を透過する、不活性な第４の層を、第３の層に設ける。第４の層は、主に、被覆された層の保護のために用いられる。
基板は、電磁波を透過する材料、好ましくはガラスまたはプラスチックから製造することができる。
【００１１】
第２の層に関して、またはこの上に提供された第２の分子に関して密接に結合する、第１の分子を、有利に、第３の層または第４の層に設ける。この場合において、ポリマー、シランまたは構造的に関連する化合物を、分子として用いることができる。また、例えば、相補的なポリヌクレオチド配列、例えばＤＮＡを、分子として用いることが考えられる。第１の分子および第２の分子の機能は、本質的に、基板を標識に厳格に予め定められた距離において結合させることである。
【００１２】
金属クラスターを、例えば、銀、金、白金、アルミニウム、銅、スズまたはインジウムから製造することができる。第２の層および／または第４の層を、以下の材料の１種：金属酸化物、金属亜硝酸塩、金属炭化物、特に酸化ケイ素、炭化ケイ素、亜硝酸ケイ素、酸化スズ、亜硝酸スズ、酸化アルミニウム、亜硝酸アルミニウムまたはポリマー、特にポリカーボネート（ＰＣ）、ポリエチレン（ＰＥ）、ポリプロピレン（ＰＰ）、ポリウレタン（ＰＵ）、ポリイミド（ＰＩ）、ポリスチレン（ＰＳ）またはポリメタクリレート（ＰＭＡ）から製造することができる。これらの材料は、本質的に化学的に不活性である。これらは、水分に対して感受性ではない。第２の層の機能は、本質的に、第３の層からの予め定められた距離および／または予め定められた構造体を永久的に提供することを含む。
【００１３】
他の構成において、標識を形成する発色は、２μｍ未満の、第１の層と第３の層との間の距離において視覚可能になる。発色は観察角度に依存し、特徴的である。このために、第１の層を、電磁波を発生するための装置により、好ましくはレーザー、蛍光ランプ、発光ダイオードまたはキセノンランプにより照射することができる。標識を、第１の層により反射された電磁波の光学的特性を決定するための装置により同定することができる。好ましくは種々の観察角度における吸収を、光学的特性を決定するための装置により測定することができる。光学的特性のこのような決定により、偽造に対する高いレベルのセキュリティーが可能になる。
【００１４】
他の構成の特徴において、層の少なくともいくつかは、薄膜技術により製造される。特に、真空被覆技術などがこれに適する。
他の構成の特徴において、層の少なくとも１つは、異方性屈折率を有する材料から製造される。好ましくは、第２の層は、異方性屈折率を有する材料から製造される。材料は、例えば、異なる観察角度、即ちｚ軸に対する角度および異なる回転角度、即ちｘ−ｙ平面における角度の両方において、特徴的な発色を示す液晶ポリマーを含むことができる。
【００１５】
他の構成の特徴によれば、層の少なくとも１つを、光学的特性を層を設けた後に慎重に改変することができる材料から製造することができる。この材料は、例えば、屈折率を好適な波長での照射により変化することができる、光感受性ポリマーを含むことができる。
【００１６】
本発明において、さらに、物品、例えばチェックギャランティカード、紙幣などのための偽造防止標識であって、電磁波を透過する、予め定められた厚さを有する不活性な第２の層が、電磁波を反射し、前記物品に結合された第１の層に設けられており、金属クラスターから形成されている第３の層が、第２の層に設けられている、前記偽造防止標識を提供する。このような標識は、永久的に視覚可能である；これは、高度に偽造防止性である。
【００１７】
本発明の他の手段において、物品、例えばチェックギャランティカード、紙幣などのための偽造防止標識であって、電磁波を透過する、予め定められた厚さを有する不活性な第２の層が、電磁波を反射する、前記物品に結合された第１の層に設けられている、前記偽造防止標識を提供する。このような標識は視覚不能である。
【００１８】
標識されるべき物品の表面が、すでに電磁波を反射する材料、例えば金属から製造されている場合には、第１の層を物品自体により形成することができる。
金属クラスターから形成されている第３の層を、基板に、それが、第１の層から予め定められた距離に配置されて、標識を視覚可能にすることができるように設けることができる。
【００１９】
前記偽造防止標識の他の構成的な特徴に関して、前記方法についての前のコメントが参照される。
本発明の例示的な態様を、図面を参照して一層詳細に以下に説明する。
【００２０】
図１〜４に示す標識において、電磁波を反射する第１の層を１により示す。これは、金属箔、例えばアルミニウム箔であることができる。しかし、第１の層１はまた、クラスターから形成されており、支持体２に設けられている層であることができる。支持体２は、標識されるべき物品であることができる。クラスターは、有利には金から製造されている。図１および３に示す第１の層１はまた、後者の表面が、電磁波を反射する材料から形成されている場合には、前記物品であることができる。
【００２１】
化学的に不活性な第２の層３を、第１の層１に設ける。第２の層３は、構造体を有する。この構造体は、ここでは、レリーフの形態で設計されており、これは、例えば、バーコードの方式で構成されている。第２の層の厚さは、好ましくは２０〜１０００ｎｍである。これを、薄膜技術により設ける。例えば真空被覆方法が、これに適する。
【００２２】
図１および２に示す標識において、金属クラスターから製造されている第３の層４を、第２の層３に設ける。第３の層４は、次に第４の層５により覆われる。第４の層５は、下にある層を損傷に対して保護する。第４の層５を、第２の層３と同様に化学的に不活性であり、光学的に透明な材料、例えば金属酸化物、金属亜硝酸塩、金属炭化物またはポリマーから製造することができる。
【００２３】
図３および４に示す標識は、これを基板６と接触させ、この表面上に金属クラスターから形成される第３の層４を設ける際にのみ視覚可能である。第３の層４を、第１の分子から形成された第５の層７で覆うことができる。第５の層７を、有利には、第２の層３を製造する材料に関して密接に結合する分子から形成する。従って、第５の層７の第２の層３との接触により、特定の接着が起こる。また、第２の層３を、さらに第５の層７で覆うことも可能である。この場合において、第５の層７を、それぞれ互いに関して親和性を有する分子から形成する。これは、相互に相補的な生体高分子を含むことができる。しかし、第５の層７はまた、他のポリマー、シランおよび／または構造的に関連する化合物から製造されることができる。
【００２４】
基板６は、透明な材料、例えばガラスまたはプラスチックから製造される。
【００２５】
標識の機能は、以下の通りである：
光を光源、例えばレーザー、蛍光管またはキセノンランプから、図１および２に示す標識上に照射した際に、この光は第１の層１において反射される。反射された光の、金属クラスターから形成された第３の層４との相互作用により、入射光のいくらかが吸収される。反射された光は、特徴的なスペクトルを有する。標識は着色された外見を有する。入射の角度または観察角に依存する発色が、標識の信頼性の偽造防止性証拠として用いられる。
【００２６】
図３および４に示す標識においては、光学的に透明に設計された第２の層３のみを、電磁的に反射性の第１の層１に設ける。第２の層３は、化学的に不活性な材料、例えば酸化ケイ素、炭化ケイ素、亜硝酸ケイ素、酸化スズもしくは亜硝酸スズまたは酸化アルミニウムもしくは亜硝酸アルミニウムからなることができる。標識は最初は視覚可能ではない。
【００２７】
第３の層４が設けられた光学的に透明な基板６が設けられている際には、第１の層１において反射された光と第３の層との間で相互作用が生じ得る。色効果が再び得られ、これは好ましくはガラス製の基板６を通して観察することができる。
【００２８】
色効果の発生に必要な、予め定められた距離が、第１の層１と第３の層４との間に確立されるのを確実にするために、第３の層４を第５の層７で被覆することができる。第５の層７の第２の層３との接触により、基板６は標識に接着する。予め定められた距離が、第３の層４と第１の層１との間に確立される。
【００２９】
相互作用の発生に従う必要があるパラメーターに関して、米国特許第５，６１１，９９８号、ＷＯ ９８／４８２７５号およびＷＯ ９９／４７７０２号が参照され、この開示の内容を、本明細書中に組み込む。
【００３０】
図５に示す、図１における標識のスペクトルを、反射配置を用いてパーキンエルマー（Ｐｅｒｋｉｎ Ｅｌｍｅｒ）からのラムダ（Ｌａｍｂｄａ）２５　ＵＶ／ＶＩＳ分光計により測定した。図５から、観察角度が増大するに従って、一層長い波長のピークが一層短い波長の方向に変化することが明らかである。不動のピークもまた観察することができ、これは銀クラスターに帰因する。
【００３１】
図６は、各々の場合において２種の異なる波長における、図５におけるスペクトルの定量的評価を示す。当該波長において、改変された吸収が、観察角度の関数として観察される。吸収パターンは、標識の信頼性に特徴的である。
【図面の簡単な説明】
【図１】第１の定常的に視覚可能な標識の図式断面図を示す。
【図２】第２の定常的に視覚可能な標識の図式断面図を示す。
【図３】定常的に視覚可能ではない第１の標識およびこれを視覚可能にするのに適する基板の図式断面図を示す。
【図４】定常的に視覚可能ではない第２の標識およびこれを視覚可能にするのに適する基板の図式断面図を示す。
【図５】種々の観察角度における、図１における標識の吸収スペクトルを示す。
【図６】種々の波長における、図５におけるスペクトルの定量的評価を示す。
符号のリスト
１　第１の層
２　支持体
３　第２の層
４　第３の層
５　第４の層
６　基板
７　第５の層
【図１】
2004507790.tif 000003
【図２】
2004507790.tif 000004
【図３】
2004507790.tif 000005
【図４】
2004507790.tif 000006
【図５】
2004507790.tif 000007
【図６】
2004507790.tif 000008
【国際公開パンフレット】
2004507790.tif 000009
2004507790.tif 000010
2004507790.tif 000011
2004507790.tif 000012
2004507790.tif 000013
2004507790.tif 000014
2004507790.tif 000015
2004507790.tif 000016
2004507790.tif 000017
2004507790.tif 000018
2004507790.tif 000019
2004507790.tif 000020
2004507790.tif 000021
2004507790.tif 000022
2004507790.tif 000023
2004507790.tif 000024
2004507790.tif 000025
2004507790.tif 000026
2004507790.tif 000027
2004507790.tif 000028
2004507790.tif 000029
【国際公開パンフレット（コレクトバージョン）】
2004507790.tif 000030
2004507790.tif 000031
【手続補正書】
【提出日】平成14年5月23日(2002.5.23)
【手続補正１】
【補正対象書類名】明細書
【補正対象項目名】特許請求の範囲
【補正方法】変更
【補正の内容】
【特許請求の範囲】
【請求項１】
物品、例えばチェックギャランティカード、紙幣、包装などの偽造防止マーキングのための方法であって、
ａ）電磁波を透過する、予め定められた厚さを有する不活性な第２の層（３）を、電磁波を反射する第１の層（１）に設け、
ｂ）金属クラスターから形成された第３の層（４）を、第２の層（３）に設け、および
ｃ）このようにして得られた標識の第１の層（１）を、前記物品に結合する、
前記方法。
【請求項２】
物品、例えばチェックギャランティカード、紙幣、包装などの偽造防止マーキングのための方法であって、
ａ）電磁波を透過する、予め定められた厚さを有する不活性な第２の層（３）を、電磁波を反射する第１の層（１）に設け、
ｂ）このようにして得られた標識の第１の層（１）を、前記物品に結合し、および
ｃ）金属クラスターから形成された第３の層（４）を、基板（６）に、それが第１の層（１）から予め定められた距離に配置されて、標識を視覚可能にすることができるように設ける、
前記方法。
【請求項３】
層（３、４、５）の少なくとも１つを、構造体化された方式で設ける、請求項１または２に記載の方法。
【請求項４】
電磁波を透過する不活性な第４の層（５）を、第３の層（４）に設ける、請求項１〜３のいずれかに記載の方法。
【請求項５】
基板（６）を、電磁波を透過する材料、好ましくはガラスまたはプラスチックから製造する、請求項２〜４のいずれかに記載の方法。
【請求項６】
第２の層（３）に関して、またはこの上に設けられた第２の分子に関して密接に結合する第１の分子（７）を、第３の層（４）または第４の層（５）に設ける、請求項２〜５のいずれかに記載の方法。
【請求項７】
ポリマー、シランまたは構造的に関連する化合物を、分子（７）として用いる、請求項６に記載の方法。
【請求項８】
金属クラスターを、銀、金、白金、アルミニウム、銅、スズまたはインジウムから製造する、請求項１〜７のいずれかに記載の方法。
【請求項９】
第２の層（３）および／または第４の層（５）を、以下の材料の１種：金属酸化物、金属亜硝酸塩、金属炭化物、特に酸化ケイ素、炭化ケイ素、亜硝酸ケイ素、酸化スズ、亜硝酸スズ、酸化アルミニウム、亜硝酸アルミニウムまたはポリマー、特にポリカーボネート（ＰＣ）、ポリエチレン（ＰＥ）、ポリプロピレン（ＰＰ）、ポリウレタン（ＰＵ）、ポリイミド（ＰＩ）、ポリスチレン（ＰＳ）またはポリメタクリレート（ＰＭＡ）から製造する、請求項１〜８のいずれかに記載の方法。
【請求項１０】
標識を形成する発色が、２μｍ未満の、第１の層（１）と第３の層（４）との間の距離において視覚可能になる、請求項１〜９のいずれかに記載の方法。
【請求項１１】
標識を、電磁波を発生するための装置、好ましくはレーザー、蛍光ランプ、発光ダイオードまたはキセノンランプにより照射する、請求項１〜１０のいずれかに記載の方法。
【請求項１２】
標識を、第１の層（１）により反射された電磁波の光学的特性を決定するための装置により、好ましくは種々の観察角度において同定する、請求項１〜１１のいずれかに記載の方法。
【請求項１３】
吸収を、光学的特性を決定するための装置により測定する、請求項１〜１２のいずれかに記載の方法。
【請求項１４】
層（１、３、４、５）の少なくともいくつかを、薄膜技術により製造する、請求項１〜１３のいずれかに記載の方法。
【請求項１５】
層（３、４、５）の少なくとも１つが、異方性屈折率を有する、請求項１〜１４のいずれかに記載の方法。
【請求項１６】
層の少なくとも１つを、光学的特性を、層を設けた後に改変することができる材料から製造する、請求項１〜１５のいずれかに記載の方法。
【請求項１７】
物品、例えばチェックギャランティカード、紙幣などのための偽造防止標識であって、電磁波を透過する、予め定められた厚さを有する不活性な第２の層（３）が、電磁波を反射する、前記物品に結合された第１の層（１）に設けられており、金属クラスターから形成されている第３の層（４）が、第２の層（３）に設けられている、前記偽造防止標識。
【請求項１８】
物品、例えばチェックギャランティカード、紙幣などのための偽造防止標識であって、電磁波を透過する、予め定められた厚さを有する不活性な第２の層（３）が、電磁波を反射し、前記物品に結合された第１の層（１）に設けられており、金属クラスターから形成された第３の層（４）が、基板（６）に、これが、第１の層（１）から予め定められた距離に配置されて、標識を視覚可能にするように設けられている、前記偽造防止標識。
【請求項１９】
層（１、３、４、５）の少なくとも１つが、構造体を有する、請求項１７および１８に記載の偽造防止標識。
【請求項２０】
電磁波を透過し、第３の層（４）を被覆する、不活性な第４の層（５）が設けられている、請求項１７〜１９のいずれかに記載の偽造防止標識。
【請求項２１】
基板（６）が、電磁波を透過する材料、好ましくはガラスまたはプラスチックから製造されている、請求項１８〜２０のいずれかに記載の偽造防止標識。
【請求項２２】
第２の層（３）に関して、またはこの上に設けられた第２の分子に関して密接に結合する第１の分子（７）が、第３の層（４）または第４の層（５）に設けられている、請求項１８〜２１のいずれかに記載の偽造防止標識。
【請求項２３】
分子（７）が、ポリマー、シランまたは構造的に関連する化合物から製造されている、請求項２２に記載の偽造防止標識。
【請求項２４】
金属クラスターが、銀、金、白金、アルミニウム、銅、スズまたはインジウムから形成されている、請求項１７〜２３のいずれかに記載の偽造防止標識。
【請求項２５】
第２の層（３）および／または第４の層（５）が、以下の材料の１種：金属酸化物、金属亜硝酸塩、金属炭化物、特に酸化ケイ素、炭化ケイ素、亜硝酸ケイ素、酸化スズ、亜硝酸スズ、酸化アルミニウム、亜硝酸アルミニウムまたはポリマー、特にポリカーボネート（ＰＣ）、ポリエチレン（ＰＥ）、ポリプロピレン（ＰＰ）、ポリウレタン（ＰＵ）、ポリイミド（ＰＩ）、ポリスチレン（ＰＳ）またはポリメタクリレート（ＰＭＡ）から製造されている、請求項１７〜２４のいずれかに記載の偽造防止標識。
【請求項２６】
一義的に同定可能な着色を、２μｍ未満の、第１の層（１）と第３の層（４）との間の距離において知覚することができる、請求項１７〜２５のいずれかに記載の偽造防止標識。
【請求項２７】
電磁波を発生するための装置、好ましくはレーザー、蛍光ランプ、発光ダイオードまたはキセノンランプが、標識を照射するために設けられている、請求項１７〜２６のいずれかに記載の偽造防止標識。
【請求項２８】
第１の層（１）により反射された電磁波の光学的特性を決定するための装置が、標識を同定するために設けられている、請求項１７〜２７のいずれかに記載の偽造防止標識。
【請求項２９】
吸収を、好ましくは種々の観察角度において、光学的特性を決定するための装置により測定することができる、請求項１７〜２８のいずれかに記載の偽造防止標識。
【請求項３０】
層（１、３、４、５）が、薄膜技術により製造されている、請求項１７〜２９のいずれかに記載の偽造防止標識。
【国際調査報告】
2004507790.tif 000032
2004507790.tif 000033
2004507790.tif 000034
2004507790.tif 000035